(57)【要約】  【課題】スクリード装置の後部に取り付ける作業ステップに乗って作業をする作業者への負担を軽減するとともに防振対策を簡略化してコストの低減を図る。  【解決手段】舗装表面を押圧して該舗装表面を均す左右１対のスクリード９Ａ，９Ｂを備え、該１対のスクリード９Ａ，９Ｂを舗装幅員方向に拡縮摺動自在に構成して機体の後方下部に配設して成る舗装機械のスクリード装置において、各スクリード９Ａ，９Ｂを舗装幅員方向に拡縮摺動させるスクリード摺動駆動手段１０と、該スクリード摺動駆動手段１０と独立して設けられ、スクリード９Ａ，９Ｂを舗装幅員方向に所定のサイクルで微少量往復摺動させるスクリード微摺動駆動手段１１を、スクリード９Ａ，９Ｂ毎に設けたスクリード装置。【選択図】図３
2009221660.tif 000002
【特許請求の範囲】
【請求項１】
舗装表面を押圧して該舗装表面を均す左右１対のスクリードを備え、該１対のスクリードを舗装幅員方向に拡縮摺動自在に構成して機体の後方下部に配設して成る舗装機械のスクリード装置において、
前記各スクリードを前記舗装幅員方向に拡縮摺動させるスクリード摺動駆動手段と、該スクリード摺動駆動手段と独立して設けられ、前記スクリードを前記舗装幅員方向に所定のサイクルで微少量往復摺動させるスクリード微摺動駆動手段を、前記スクリード毎に設けたことを特徴とする舗装機械のスクリード装置。
【請求項２】
上記各スクリード微摺動駆動手段が、駆動源としての回転モータと、該回転モータの回転を上記スクリードが上記舗装幅員方向に微少量往復摺動する動きに変換する動力変換機構とを備えるとともに、前記両回転モータの回転を各スクリード微摺動駆動手段同志で互いに逆転方向に動作させるようにしたことを特徴とする請求項１記載の舗装機械のスクリード装置。
【発明の詳細な説明】
【技術分野】
【０００１】
本発明は、アスファルト混合物等の舗装材を敷き均す舗装機械のスクリード装置に関するものであり、特に、スクリード装置の後部に取り付ける作業ステップに乗って作業をする作業者への負担を軽減することができる舗装機械のスクリード装置に関するものである。
【背景技術】
【０００２】
従来、この種のスクリード装置を備える舗装機械としては、例えば下記の特許文献１に示すものがある。この舗装機械は、前側ホッパに投入されたアスファルト混合物等の舗装材を前側ホッパの底部落下口から排出させ、該排出した舗装材を前側スクリュ装置で左右に拡げ、また、後側ホッパに投入された舗装材を後側ホッパの底部落下口から排出させ、該排出した舗装材を後側スクリュ装置で左右に拡げる。さらに、各スクリュ装置の後側にはスクリード装置が設けられ、該各スクリュ装置で左右に拡げられた舗装材を該スクリード装置により平らに敷き均す構成と成っている。
【０００３】
前記スクリード装置は、車体の左右両側から後方に向けて延出されたレベリングアームの後端に装着されており、さらに該スクリード装置の後部に作業用ステップが取り付けられ、該作業用ステップに作業者が乗って舗装状態を見ながら作業が行えるように構成されている。
【０００４】
また、斯様なスクリード装置は、例えば特許文献２に示すように、ストライクオフプレートとタンパとスクリードとを備えて成り、スクリュ装置で左右に広げられた舗装材を該スクリード装置が呑み込みやすくするために、まず最前部のストライクオフプレートで舗装表面を粗く均し、次いでストライクオフプレートの後方に設けられたストロークが３〜５ミリで、ストローク数が１２００〜１５００回／分で上下方向に振動するタンパでさらに舗装表面を叩いて初期転圧した後、該タンパの後方に設けたスクリード及びスクリードに設けた振動数０〜５０回／秒のバイブレータで舗装表面を押し均して固める構造となっている。したがって、タンパ及びバイブレータによる振動はスクリード装置全体に伝達され、さらに該スクリード装置の後部に取り付けられた作業用ステップにも伝わり、該作業用ステップに乗った作業者がその振動を直接受けることになる。このため、作業者の体に疲労を与えて長時間の作業が困難になるので、防振対策等が必要となる。
【特許文献１】特許第３４９４８７６号公報。
【特許文献２】特許第２７５２３２２号公報。
【発明の開示】
【発明が解決しようとする課題】
【０００５】
上述したように、特許文献１に示されるような従来のスクリード装置では、ストロークが３〜５ミリ、ストローク数が１２００〜１５００回／分で上下方向に振動するタンパで舗装表面を叩き、その後、該タンパの後方に設けたスクリードで舗装面を押し均して固める構造になっている。このため、タンパ及びバイブレータによる振動はスクリード装置全体に伝達され、該スクリード装置の後部に取り付けられている作業用ステップに乗って作業する作業者に疲労を与えるという問題があった。このため、長時間の作業が困難で、また、防振対策も必要とされるのでコスト高になるという問題点があった。
【０００６】
そこで、スクリード装置の後部に取り付ける作業ステップに乗って作業をする作業者への負担を軽減するとともに防振対策を簡略化してコストの低減を図ることができる構造にするために解決すべき技術的課題が生じてくるのであり、本発明はこの課題を解決することを目的とする。
【課題を解決するための手段】
【０００７】
本発明は上記目的を達成するために提案されたものであり、請求項１記載の発明は、舗装表面を押圧して該舗装表面を均す左右１対のスクリードを備え、該１対のスクリードを舗装幅員方向に拡縮摺動自在に構成して機体の後方下部に配設して成る舗装機械のスクリード装置において、前記各スクリードを前記舗装幅員方向に拡縮摺動させるスクリード摺動駆動手段と、該スクリード摺動駆動手段と独立して設けられ、前記スクリードを前記舗装幅員方向に所定のサイクルで微少量往復摺動させるスクリード微摺動駆動手段を、前記スクリード毎に設けた舗装機械のスクリード装置を提供する。
【０００８】
この構成によれば、スクリード摺動駆動手段を駆動させると、左右１対のスクリードを舗装幅員方向に大きく摺動(移動)させて拡大あるいは縮小させることができる。一方、スクリード微摺動駆動手段を駆動させると、スクリード摺動駆動手段によるスクリードの摺動操作とは別に該スクリードが舗装幅員方向に所定のサイクルで微少量往復摺動され、例えば左官職人がコテを左右に滑らせて仕上げるのと同じようにして舗装表面をスクリードで押し均して仕上げることができる。
【０００９】
請求項２記載の発明は、上記各スクリード微摺動駆動手段が、駆動源としての回転モータと、該回転モータの回転を上記スクリードが上記舗装幅員方向に微少量往復摺動する動きに変換する動力変換機構とを備えるとともに、前記両回転モータの回転を各スクリード微摺動駆動手段同志で互いに逆転方向に動作させるようにした舗装機械のスクリード装置を提供する。
【００１０】
この構成によれば、左右１対のスクリードは、互いに逆回転される回転モータを駆動源としてそれぞれ左右逆方向に微摺動される。したがって、両回転モータの回転時に発生する振動は両回転モータ同志で打ち消されて減衰する。
【発明の効果】
【００１１】
請求項１記載の発明は、スクリード微摺動駆動手段を駆動させると、スクリードが舗装幅員方向に所定のサイクルで微少量往復摺動され、例えば左官職人がコテを左右に滑らせて仕上げるのと同じようにして舗装表面をスクリードで押し均して仕上げることができるので、高品質な仕上がりを得ることができる。また、従来の振動を発生するバイブレータを無くすことができるので、スクリード装置の後部に取り付けられた作業用ステップに乗って作業する作業者に与える疲労が少なくなり、長時間にわたる連続作業を可能にする。これにより、作業性の向上が期待できる。さらに、防振対策も簡単で済むので、コスト低減が可能になる。
【００１２】
請求項２記載の発明は、左右１対のスクリードをそれぞれ左右方向に微少量往復摺動させる２つの回転モータの振動は、互いに打ち消されて減衰するようになっているので、請求項１記載の発明の効果に加えて、振動がさらに小さいスクリード装置を提供することができる。
【発明を実施するための最良の形態】
【００１３】
スクリード装置の後部に取り付ける作業ステップに乗って作業をする作業者への負担を軽減するとともに防振対策を簡略化してコストの低減を図るという目的を達成するために、舗装表面を押圧して該舗装表面を均す左右１対のスクリードを備え、該１対のスクリードを舗装幅員方向に拡縮摺動自在に構成して機体の後方下部に配設して成る舗装機械のスクリード装置において、前記各スクリードを前記舗装幅員方向に拡縮摺動させるスクリード摺動駆動手段と、該スクリード摺動駆動手段と独立して設けられ、前記スクリードを前記舗装幅員方向に所定のサイクルで微少量往復摺動させるスクリード微摺動駆動手段を、前記スクリード毎に設けたことにより実現した。
【実施例】
【００１４】
以下、本発明の建設機械のスクリード装置について、好適な実施例をあげて説明する。図１は、本発明を適用した舗装機械であるアスファルトフィニッシャの側面図である。同図において、アスファルトフィニッシャ１は、機体(舗装機械本体)２の前部にアスファルト混合物等の舗装材を受け入れるホッパ装置３を備え、該ホッパ装置３に受け入れた舗装材を機体２の後部のスクリュ装置４に搬送するコンベア装置５と、機体２の後方に牽引されて舗装材を敷き均すスクリード装置６等から構成されている。該スクリード装置６には作業用ステップＳが取り付けられ、該作業用ステップＳに作業者が乗って舗装状態を見ながら作業が行えるようになっている。
【００１５】
図２及び図３は前記スクリード装置６を簡略して示すもので、該スクリード装置６は、機体２の両側面に前端部を上下回動自在に枢着している左右アーム部材７，７の後端に、吊支状態に支持されている支持フレーム８を備えている。そして、該支持フレーム８に１対のスクリード９Ａ，９Ｂが、互いに前後方向に変位し、かつ、機体２の機軸線に対して左右対称で、また引き違い戸の如き動きをするようにして道路等の舗装幅員方向に拡縮自在に配設されている。
【００１６】
前記スクリード装置６には、図２，図３に示すように、スクリード９Ａ，９Ｂを舗装幅員方向に大きく摺動させて路幅を拡縮させる手段としてのスクリード摺動駆動手段１０と、スクリード９Ａ，９Ｂを舗装幅員方向に所定のサイクルで微少量往復摺動させて舗装面を仕上げ加工するスクリード微摺動駆動手段１１とが設けられている。なお、スクリード摺動駆動手段１０及びスクリード微摺動駆動手段１１は、スクリード９Ａ，９Ｂ毎に設けられている。また、該左右のスクリード９Ａ，９Ｂ、左右のスクリード摺動駆動手段１０，１０、及び、左右のスクリード微摺動駆動手段１１，１１の構成は、それぞれ左右逆になっている点が異なる他は、基本的な構造は同じである。したがって、以下の説明では左側のスクリード９Ａとスクリード摺動駆動手段１０とスクリード微摺動駆動手段１１をそれぞれ代表して説明するが、右側のスクリード９Ｂとスクリード摺動駆動手段１０とスクリード微摺動駆動手段１１も同じ構造になっているものとする。
【００１７】
前記スクリード摺動駆動手段１０は、スクリード９Ａ(または９Ｂ)内に舗装幅員方向に向けて水平状態に配設した油圧シリンダ１２を備えている。該油圧シリンダ１２は、一端側の端部１２Ａを支持フレーム８に固定金具１３Ａを介して上下方向回動可能に取り付け、他端側の二股ヨークのアーム１２Ｂをスクリード９Ａ(または９Ｂ)に固定金具１３Ｂを介して上下方向回動並びに舗装幅員方向移動可能に取り付けている。したがって、油圧シリンダ１２，１２をそれぞれ作動させると、端部１２Ａを支点としてシリンダ部が舗装幅員方向に伸縮してスクリード９Ａ，９Ｂ間の幅が拡縮する。
【００１８】
前記スクリード微摺動駆動手段１１は、図４に分解斜視図を示すように、駆動源としての回転モータ１４と、該回転モータ１４の回転を前記スクリード９Ａ(または９Ｂ)が舗装幅員方向に微少量往復移動する動きに変換する動力変換機構１５を備える。
【００１９】
前記回転モータ１４は、油圧モータであり、スクリード９Ａ，９Ｂを支持している支持フレーム８に取付ブラケット１６を介して固定されている。
【００２０】
前記動力変換機構１５は、前記スクリード摺動駆動手段１０における油圧シリンダ１２の二股ヨークの各アーム１２Ｂ，１２Ｂにそれぞれ左右方向に貫通して設けられている孔１７，１７に各々嵌合して取り付けられている左右１対のベアリング１８，１８と、該左右のベアリング１８，１８で回転自在に支持されている軸１９と、１対のアーム１２Ｂ，１２Ｂとの間で軸１９に一体回転可能に取り付けられている偏心ブッシュ２０と、スクリード９Ａ(または９Ｂ)に固定されている前記固定金具１３Ｂの貫通孔２１に嵌合して取り付けられているベアリング２２を備える。そして、該ベアリング２２には、軸１９に取り付けられている偏心ブッシュ２０が回動可能に取り付けられている。
【００２１】
また、軸１９の一端部は、カップリング２３を介して回転モータ１４の図示しない回転軸と連結され、該回転モータ１４の回転力で回転できるようになっている。したがって、軸１９の両端部は、固定金具１３Ｂと取付ブラケット１６により回転自在に支持され、また油圧シリンダ１２の端部(アーム１２Ｂ)は固定金具１３Ｂと取付ブラケット１６との間で、ベアリング１８，１８を介して軸１９に上下方向回転可能に取り付けられている。
【００２２】
前記偏心ブッシュ２０は、図５に示すように、軸中心Ｏ１が軸１９の軸中心Ｏ２に対して距離α(３〜５ミリ程度)だけ舗装幅員方向に偏心している。そして、この偏心により、軸１９と一体に該偏心ブッシュ２０がベアリング２２内で回転すると、該軸１９が１回転する間に偏心ブッシュ２０の偏心作用により、固定金具１３と共にスクリード９Ａ(または９Ｂ)の全体が舗装幅員方向に往復移動する。すなわち、回転モータ１４の連続回転と一体に軸１９が連続して回転されると、スクリード９Ａ(または９Ｂ)の全体が舗装幅員方向に微少量往復移動する。
【００２３】
したがって、この実施例のスクリード装置６では、左右のスクリード摺動駆動手段１０，１０の油圧シリンダ１２，１２をそれぞれ駆動させると、左右１対のスクリード９Ａ，９Ｂを舗装幅員方向にそれぞれ大きく摺動(移動)させて、拡大あるいは縮小させることができる。一方、左右のスクリード微摺動駆動手段１１，１１を駆動させると、スクリード摺動駆動手段１０，１０によるスクリード９Ａ，９Ｂの摺動(移動)操作とは別に、該スクリード９Ａ，９Ｂが舗装幅員方向に独立して３〜５ミリ程度繰り返し微少量往復摺動され、該微少量の往復摺動により舗装面を均して仕上げることができる。このスクリード微摺動駆動手段１１，１１による仕上げは、例えば左官職人がコテを左右に滑らせて仕上げるのと同じ作用を有するもので、高品質な仕上がりを得ることができる。
【００２４】
さらに、本実施例では、スクリード９Ａ，９Ｂの摺動サイクルは２０Ｈｚ以下で、左右の摺動ストロークは偏心ブッシュ２０の軸中心Ｏ１と軸１９の軸中心Ｏ２の偏心量αによって定まる３〜５ミリに設定している。また、左右の回転モータ１４，１４の回転方向はそれぞれ互いに逆回転とし、該両回転モータ１４，１４の回転時に発生する振動を該両回転モータ１４，１４同志で打ち消して減衰するようにしている。これにより振動が極めて小さいスクリード装置６が得られ、該スクリード装置６の後部に取り付けられた作業用ステップＳに乗って作業する作業者に与える疲労を少なくして、長時間にわたる連続作業を可能にし、作業性の向上が期待できる。さらに、防振対策も簡単で済むので、コスト低減が可能になる。
【００２５】
なお、スクリード９Ａ，９Ｂを舗装幅員方向に微少量往復摺動させるスクリード微摺動駆動手段１１は、スクリード９Ａ，９Ｂを舗装幅員方向に微少量往復摺動させることができる構造であれば、上記実施例の構造以外のものであっても差し支えないものである。
【００２６】
また、本発明は、本発明の精神を逸脱しない限り種々の改変を為すことができ、そして、本発明が該改変されたものに及ぶことは当然である。
【図面の簡単な説明】
【００２７】
【図１】本発明を適用したアスファルトフィニッシャの側面図。
【図２】本発明に係るスクリード装置の簡略平面図。
【図３】本発明に係るスクリード装置の簡略一部拡大図。
【図４】同上装置におけるスクリード微摺動駆動手段の要部分解斜視図。
【図５】同上装置における要部拡大断面図。
【符号の説明】
【００２８】
２      機体
６      スクリード装置
７      アーム部材
８      支持フレーム
９Ａ    スクリード
９Ｂ    スクリード
１０    スクリード摺動駆動手段
１１    スクリード微摺動駆動手段
１２    油圧シリンダ
１４    回転モータ(油圧モータ)
１５    動力変換機構
２０    偏心ブッシュ
Ｓ      作業用ステップ
Ｃ      偏心量
【図１】
2009221660.tif 000003
【図２】
2009221660.tif 000004
【図３】
2009221660.tif 000005
【図４】
2009221660.tif 000006
【図５】
2009221660.tif 000007